(57)【要約】【課題】光記録媒体の録画容量が足りなくなっても録画が可能でかつ、光記録媒体に録画する際の操作性の良好なビデオ撮像カメラを提供することを目的とする。【解決手段】本体の側部に撮影した被写体像を所定の圧縮率で光記録媒体に録画再生を行う録画再生部が取り付けられたビデオ撮像カメラ３において、記録再生部３は、録画中に光記録媒体１の録画容量の残量が所定容量以下になった場合に、前記録画容量の残量の検出を行い、前記録画容量の残量が前記所定容量以下になったことを知らせる信号を出力する出力部と、前記出力部で検知された信号に基づいて、現在の録画中の圧縮率よりも高圧縮率に切り替える切り替え部５と、を備えている。【選択図】      図１
2006180055.tif 000002
【特許請求の範囲】
【請求項１】
本体の側部に撮影した被写体像を所定の圧縮率で光記録媒体に録画再生を行う録画再生部が取り付けられたビデオ撮像カメラにおいて、
前記記録再生部は、
録画中に前記光記録媒体の録画容量の残量が所定容量以下になった場合に、前記録画容量の残量の検出を行い、前記録画容量の残量が前記所定容量以下になったことを知らせる信号を出力する出力部と、
前記出力部で検知された信号に基づいて、現在の録画中の圧縮率よりも高圧縮率に切り替える切り替え部と、
を備えたことを特徴とするビデオ撮像カメラ。
【請求項２】
ディスクカートリッジに前記光記録媒体の挿入方向を示すマークが形成され、前記録画再生部の前記ディスクカートリッジの出し入れ口に前記マークと同じマークが形成されていることを特徴とする請求項１記載のビデオ撮像カメラ。
【発明の詳細な説明】
【技術分野】
【０００１】
本発明は、光記録媒体を収納するディスクカートリッジを用いたビデオ撮像カメラに関する。
【背景技術】
【０００２】
従来、光記録媒体は、再生専用から書き換え可能な光記録媒体へと種類が増加し、また、記録容量も大幅に増加し、コンピュータ等の情報処理用途から映像などの記録・再生用途とその使用範囲が増加しておりビデオ撮像カメラにも用いられるようになってきた。
このような状況下で、ビデオ撮像カメラの記録・再生に使用する光記録媒体表面の傷や汚れは、記録・再生機能に障害を与えることから、その対策が従来から今日まで、種々提案されている。
上記対策として光記録媒体自体を収納して傷や汚れから光記録媒体を保護するディスクカートリッジを用いたビデオ撮像カメラが提案されている。
【０００３】
その一例として、光記録媒体を保護するディスクカートリッジを光記録媒体で情報を記録したり再生したりする際にビデオ撮像カメラ等でそのまま用いる、図６に示す光記録媒体を収納する略正方形のディスクカートリッジがある。
【０００４】
特許文献１には、図６に示す略正方形のディスクを収納するカートリッジが提案されている。例えば、図６に示すようにディスクカートリッジ２０を略正方形とし、このディスクカートリッジ２０に光記録媒体１を収納する。
ディスクカートリッジ２０の片面には、光記録媒体１で情報を記録したり再生したりする際に、レーザ光を通過させる照射光用窓１５と、ディスクカートリッジ２０を光記録媒体記録再生装置に挿入する際の挿入方向を指示する挿入方向指示マークＤと、を設ける。
ディスクカートリッジ２０の他の片面には、光記録媒体１に記録された情報や映像の内容を表示するから、挿入方向を指示する挿入方向指示マークＤを設けることは困難である。
従って、レーザ光を通過させる照射光用窓１５と挿入方向を指示する挿入方向指示マークＤは同一の片面に設ける。
そして、照射光用窓１５は光記録媒体１を使用しない時は、図６（Ｂ）に示すようにカバー１７により保護されている。挿入方向指示マークＤはディスクカートリッジ２０が略正方形のためカバー１７から十分離れた位置に設けることが出来るから、カバー１７により照射光用窓１５を覆っても挿入方向指示マークＤを十分識別表示することが出来る。
【特許文献１】特許第３４６２２８９号公報
【発明の開示】
【発明が解決しようとする課題】
【０００５】
しかしながら、光記録媒体１をビデオ撮像カメラの記録媒体として使用する場合、略正方形のディスクカートリッジ２０では形状が大きく、そのため出来るだけ小さな形状の略円形のディスクカートリッジが望まれるようになってきた。この略円形のディスクカートリッジは略正方形のディスクカートリッジ２０に比較して、形状が小さく、華奢であり壊れやすいため、略円形のディスクカートリッジを挿入する時の取り扱いにを慎重に行うことが必要である。また、ディスクカートリッジをビデオ撮像カメラに取り付けられている録画再生装置に装填して録画再生を行う場合に、ビデオ撮像カメラの仕様は各社バラバラであるため、ディスクカートリッジを挿入する挿入口は、様々であり、各社の仕様に照らして前記挿入口を覚えてビデオ撮像カメラを使用する必要がり、使い勝手が悪かった。
【０００６】
そこで、本発明は、上記のような問題点を解消するためになされたもので、光記録媒体の録画容量が足りなくなっても録画が可能なビデオ撮像カメラを提供する。また、光記録媒体に録画する際の操作性の良好なビデオ撮像カメラを提供することを目的とする。
【課題を解決するための手段】
【０００７】
本願発明における第1の発明は、本体の側部に撮影した被写体像を所定の圧縮率で光記録媒体に録画再生を行う録画再生部が取り付けられたビデオ撮像カメラにおいて、前記記録再生部は、録画中に前記光記録媒体の録画容量の残量が所定容量以下になった場合に、前記録画容量の残量の検出を行い、前記録画容量の残量が前記所定容量以下になったことを知らせる信号を出力する出力部と、前記出力部で検知された信号に基づいて、現在の録画中の圧縮率よりも高圧縮率に切り替える切り替え部と、を備えたことを特徴とするビデオ撮像カメラを提供する。
第２の発明は、ディスクカートリッジに前記光記録媒体の挿入方向を示すマークが形成され、前記録画再生部の前記ディスクカートリッジの出し入れ口に前記マークと同じマークが形成されていることを特徴とする請求項１記載のビデオ撮像カメラを提供する。
【発明の効果】
【０００８】
本発明によれば、前記記録再生部は、録画中に前記光記録媒体の録画容量の残量が所定容量以下になった場合に、前記録画容量の残量の検出を行い、前記録画容量の残量が前記所定容量以下になったことを知らせる信号を出力する出力部と、前記出力部で検知された信号に基づいて、現在の録画中の圧縮率よりも高圧縮率に切り替える切り替え部と、を備えているので、記録時間を延ばして、確実に光記録媒体に録画を行うことができる。
また、ディスクカートリッジに前記光記録媒体の挿入方向を示すマークが形成され、前記録画再生部の前記ディスクカートリッジの出し入れ口に前記マークと同じマークが形成されているので、前記ディスクカートリッジを挿入する方向を間違えずに行えるため、光記録媒体に録画する際の操作性を向上させることができる。
【発明を実施するための最良の形態】
【０００９】
以下に本発明の実施形態に係るビデオ撮像カメラについて図１〜図５を用いて説明する。
図１は、本発明の実施形態における光記録媒体を収納して用いるビデオ撮像カメラを示す図であり、（Ａ）はビデオ撮像カメラを斜め前方から見た外観図を示し、（Ｂ）は(Ａ)のＸ−Ｘ断面を前方から見た状態を示す図である。
図２は、略円形のディスクカートリッジを示し、（Ａ）の（１）は略円形のディスクカートリッジの片面を示し、（Ａ）の（２）は、他の片面を示し、（Ａ）の（３）はディスクカートリッジの側面を示し、（Ｂ）の（１）はカバー１７の装着前を示し、（Ｂ）の（２）はカバー１７の装着後を示す図である。
図３は、略円形のディスクカートリッジをビデオ撮像カメラに挿入して装着する場合の説明図であり、（Ａ）の（１）は、略円形のディスクカートリッジをビデオ撮像カメラに挿入する状態を示し、（Ａ）の（２）は挿入した状態を示し、（Ａ）の（３）は略円形のディスクカートリッジを記録再生出来るよう固定した状態を示す図であり、（Ｂ）はビデオ撮像カメラに略円形のディスクカートリッジを挿入する状態を上面から見た場合を示す図である。
図４は、据え置き型光記録媒体録画再生装置に略円形のディスクカートリッジを挿入してから固定するまでの動作の説明を示す図であり、（Ｂ）は据え置き型光記録媒体録画再生装置に略円形のディスクカートリッジを挿入する状態を上面から見た場合を示す図である。
図５は、据え置き型光記録媒体録画再生装置に略円形のディスクカートリッジを挿入する際の動作の説明を示す図であり、（Ａ）は据え置き型光記録媒体録画再生装置に略円形のディスクカートリッジを挿入する状態を側面から断面図として見た場合を示す図であり、（Ｂ）は挿入口付近から略円形のディスクカートリッジの挿入を見た場合を示す図である。
【００１０】
図１に示すように、図１（Ａ）のビデオ撮像カメラ３は、図１（Ｂ）断面図とともに示すように光記録媒体１と、光記録媒体１を収納した略円形のディスクカートリッジ９と、撮影した被写体像を所定の圧縮率で光記録媒体１に記録し、かつ、再生を行うピックアップ部８と光記録媒体１の記録残量が減少したときに圧縮率を切り替える切り替え部５とからなる記録再生部２と、記録再生部２から光記録媒体１の記録残量情報を得て光記録媒体１の残量を示すとともに所定容量以下になったことを知らせる出力部４と、被写体像を撮像するレンズ６と、略円形のディスクカートリッジ９を出し入れする際に開閉する開閉部７と、光記録媒体１を回転駆動するモータ１０と、モータ１０の回転を伝達する回転軸１１と、略円形のディスクカートリッジ９を固定する固定部１２と，光記録媒体１の中央部分を回転軸１１に固定する固定軸１３及びディスク固定部１４と、から構成される。
【００１１】
そして、ビデオ撮像カメラ３の本体の側部に撮影した被写体像を所定の圧縮率で光記録媒体１に記録再生を行う記録再生部２が取り付けられたビデオ撮像カメラ３において、記録再生部２は、記録媒体１の記録容量の残量が所定容量以下になった場合に、容量の検出を行い、残量を示すとともに所定容量以下になったことを知らせる出力部４と、現在の圧縮率よりも高圧縮率に切り替える切り替え部５と、を備えたものである。
【００１２】
このようにして、光記録媒体１の記録容量の残量が所定容量以下になった場合に、容量の検出を行い、残量を示すとともに所定容量以下になったことを知らせるとともに、現在の圧縮率よりも高圧縮率に切り替えることにより記録時間を延ばして、取り扱いに慎重性を有する光記録媒体１の出し入れ回数を、ビデオ撮像カメラ３において減少させることが出来る。
【００１３】
次に取り扱いに慎重性を有する、光記録媒体１を収納した略円形のディスクカートリッジ９の挿入時の方向性を容易にするための説明を、図２から図５を用いて行う。
図２に示すように、本発明の実施形態における略円形のディスクカートリッジ９は、光記録媒体１を収納する内側に空間のある片面９ａと他の片面９ｂとから構成され、図２（Ａ）の(１)に示されるように片面９ａには収納されている光記録媒体１の表面を部分的に露出させるための照射光用窓１５と、照射光用窓１５を覆って光記録媒体１を保護するためのカバー１７を装着するための案内溝１６と、照射光用窓１５側に挿入方向を指示するために表示された挿入方向に対し左右異なる形態の挿入方向指示マークＡ及びＢと、挿入方向指示マークＣ１及びＣ２とを備える。図２（Ａ）の(２)に他の片面９ｂを示すが、この片面９ｂ上には光記録媒体１の記録内容を記載する。
【００１４】
挿入方向指示マークＣ１及びＣ２は、図２（Ａ），（Ｂ）に示すように案内溝１６の両端に黒三角と白三角の形状で設置する。出来るだけ照射光用窓１５の外周側で案内溝１６に沿うように設置してカバー１７が装着された時、図２(Ｂ)の(２)に示すように黒三角と白三角の形状の区別がつくように、少しはみ出すよう表示する。
【００１５】
そして、左右異なる形態の挿入方向指示マークＡ及びＢとしては、図２に示すように、案内溝１６の左右直角方向の最も離れた個所にカバー１７が装着されても覆われないように設置する。マーク形状は識別できる四角、丸或いは星のような形状を設定する。
【００１６】
このようして、光記録媒体１を収納する略円形のディスクカートリッジ９の片面９ａに、収納されている光記録媒体１の表面を部分的に露出させるために略円形のディスクカートリッジ９の片面９ａに設けられた照射光用窓１６と、照射光用窓１６側に挿入方向を指示するために表示された挿入方向に対し左右異なる形態の挿入方向指示マークＡ，Ｂ及びＣ１，Ｃ２と、を備えることにより、ディスクカートリッジ９の挿入方向をカバー１７が装着したままでも明確に指示することが出来る。
【００１７】
次に図３を用いてビデオ撮像カメラ３に略円形のディスクカートリッジ９を装着させる動作について説明する。
まず、図３(Ａ)の（１）に示すように、ビデオ撮像カメラ３は、まず、開閉部７を開き、略円形のディスクカートリッジ９の挿入口の上側に表示された挿入方向の指示マークＡ及び指示マークＢを確認して、略円形のディスクカートリッジ９をビデオ撮像カメラ３に挿入する。次に図３（Ｂ）の（２）に示すように固定部１２にディスクカートリッジ１が到達したら、固定軸１３を光記録媒体１の中心孔に挿入する。そして、図３（Ｂ）の（３）に示すようにディスク固定部１４により光記録媒体１を固定した後、駆動モータ１０を回転させ、ピックアップ部８により光記録媒体１の記録再生を行う。
【００１８】
このように略円形のディスクカートリッジ９に設置された左右異なる形態の挿入方向指示マークＡ及びＢと同様の指示マークＡ及び指示マークＢを、ビデオ撮像カメラ３の上面に表示することにより、小型で取り扱いが容易でない略円形のディスクカートリッジ９の挿入方向が的確に指示されるので、ビデオ撮像カメラ３への着脱を容易に行うことが出来る。
【００１９】
次に図４を用いて据え置き型光記録媒体記録再生装置１９に略円形のディスクカートリッジ９を装着させる動作について説明する。
まず、図４(Ａ)の（１）に示すように、据え置き型光記録媒体記録再生装置１９の挿入孔２１の下側に表示されたマークの面の指示マークＣ１及び指示マークＣ２に従って、略円形のディスクカートリッジ９を挿入する。次に図４（Ａ）の（２）に示すように固定部１２にディスクカートリッジ１が到達したら、固定軸１３を光記録媒体１の中心孔に挿入する。そして、図４（Ａ）の（３）に示すようにディスク固定部１４により光記録媒体１を固定した後、駆動モータ１０を回転させ、ピックアップ部８により光記録媒体１の記録再生を行う。
【００２０】
そして、図５（Ｂ）に示すように据え置き型光記録媒体記録再生装置１９への略円形のディスクカートリッジ９を挿入する際には、据え置き型光記録媒体記録再生装置１９の挿入孔２１にカバーガイド２２を設置して、略円形のディスクカートリッジ９のカバー１７用案内溝１６をカバーガイド２２へ導入することにより、挿入孔２１の下方に表示されたマークＣ１及びマークＣ２が略円形のディスクカートリッジ９の挿入により見えなくなってもスムーズに挿入動作を行うことが出来る。
【００２１】
従って、据え置き型光記録媒体記録再生装置側においても、ディスクカートリッジに設置された複数の挿入方向指示マークを用途に応じて選択して表示することにより、ディスクカートリッジ９の挿入方向が明確に指示されるので、小型で取り扱いの不便な略円形のディスクカートリッジの着脱を容易に行うことが出来る。
【００２２】
以上述べてきたように、略円形のディスクカートリッジを使用する際には、挿入方向を明確にして取り扱いを簡便にするために左右異なる形態の挿入方向指示マークを設定するとともに、記録時に圧縮効率を切り替えて記録時間を延ばし光記録媒体の出し入れ回数を減少させることにより、操作性がよく誤動作を少なくすることが出来る。
【図面の簡単な説明】
【００２３】
【図１】本発明の実施形態における光記録媒体を収納して用いるビデオ撮像カメラを示す図であり、（Ａ）はビデオ撮像カメラを斜め前方から見た外観図を示し、（Ｂ）は(Ａ)のＸ−Ｘ断面を前方から見た状態を示す図である。
【図２】略円形のディスクカートリッジを示し、（Ａ）の（１）は略円形のディスクカートリッジの片面を示し、（Ａ）の（２）は、他の片面を示し、（Ａ）の（３）はディスクカートリッジの側面を示し、（Ｂ）の（１）はカバー１７の装着前を示し、（Ｂ）の（２）はカバー１７の装着後を示す図である。
【図３】略円形のディスクカートリッジをビデオ撮像カメラに挿入して装着する場合の説明図であり、（Ａ）の（１）は、略円形のディスクカートリッジをビデオ撮像カメラに挿入する状態を示し、（Ａ）の（２）は挿入した状態を示し、（Ａ）の（３）は略円形のディスクカートリッジを記録再生出来るよう固定した状態を示す図であり、（Ｂ）はビデオ撮像カメラに略円形のディスクカートリッジを挿入する状態を上面から見た場合を示す図である。
【図４】据え置き型光記録媒体録画再生装置に略円形のディスクカートリッジを挿入してから固定するまでの動作の説明を示す図であり、（Ｂ）は据え置き型光記録媒体録画再生装置に略円形のディスクカートリッジを挿入する状態を上面から見た場合を示す図である。
【図５】据え置き型光記録媒体録画再生装置に略円形のディスクカートリッジを挿入する際の動作の説明を示す図であり、（Ａ）は据え置き型光記録媒体録画再生装置に略円形のディスクカートリッジを挿入する状態を側面から断面図として見た場合を示す図であり、（Ｂ）は挿入口付近から略円形のディスクカートリッジの挿入を見た場合を示す図である。
【図６】従来の略正方形のディスクを収納するカートリッジを示す図である。
【符号の説明】
【００２４】
１・・・光記録媒体、２・・・記録再生部、３・・・ビデオ撮像カメラ、４・・・出力部、５・・・切り替え部、６・・・レンズ、７・・・開閉部、８・・・ピックアップ部、９・・・略円形のディスクカートリッジ、１０・・・モータ、１１・・・回転軸、１２・・・固定部、１３・・・固定軸、１４・・・ディスク固定部、１５・・・照射光用窓、１６・・・案内溝、１９・・・据え置き型光記録媒体録画再生装置、２０・・・略正方形のディスクカートリッジ、２１・・・挿入孔、２２・・・カバーガイド
【図１】
2006180055.tif 000003
【図２】
2006180055.tif 000004
【図３】
2006180055.tif 000005
【図４】
2006180055.tif 000006
【図５】
2006180055.tif 000007
【図６】
2006180055.tif 000008